(57)【要約】【課題】照明取付部材の取付穴に回転によって取付けする際に、カバーがハウジングから外れるのを極力防止できる照明ユニットを提供する。【解決手段】底壁５と底壁５より立設する一対の側壁６に囲まれた部品収容室２を有し、部品収容室２に発光ダイオード３１を収容するハウジング１と、ハウジング１の上方から組み付けされ、ハウジング１にロック手段１２，４４によって装着されて部品収容室２の開口を塞ぎ、照明取付部材の取付穴に回転で取付けできるカバー側取付部４５を有するレンズカバー４０とを備え、ハウジング１の側壁６の外面には、ハウジング側変形規制壁１０が突設され、レンズカバー４０にはハウジング側変形規制壁１０を挟み込み、ハウジング側変形規制壁１０の両方の側面に当接するカバー側変形規制壁４３が設けられた。【選択図】図１
2020004502.tif 000002
【特許請求の範囲】
【請求項１】
底壁と前記底壁より立設する一対の側壁に囲まれた部品収容室を有し、前記部品収容室に光源を収容するハウジングと、
前記ハウジングの上方から組み付けされ、前記ハウジングにロック手段によって装着されて前記部品収容室の開口を塞ぎ、照明取付部材の取付穴に回転で取付けできるカバー側取付部を有するカバーとを備え、
前記ハウジングの前記側壁の外面には、ハウジング側変形規制壁が突設され、前記カバーには前記ハウジング側変形規制壁を挟み込み、前記ハウジング側変形規制壁の両方の側面に当接するカバー側変形規制壁が設けられたことを特徴とする照明ユニット。
【請求項２】
請求項１記載の照明ユニットであって、
前記ロック手段は、前記ハウジングの一対の前記側壁の外面側に設けられたロック用突部と、前記カバーの前記カバー側変形規制壁の内面に設けられたロック爪とを有することを特徴とする照明ユニット。
【請求項３】
請求項１又は請求項２記載の照明ユニットであって、
前記部品収容室には、前記光源の上方に配置されるレンズが収容され、
前記レンズのレンズ支持部は、前記ハウジングの一対の前記ハウジング側変形規制壁の間の位置で前記側壁に支持され、
一対の前記ハウジング側変形規制壁は、前記レンズ支持部よりも高く設定されたことを特徴とする照明ユニット。
【発明の詳細な説明】
【技術分野】
【０００１】
本発明は、車両の室内等に使用される照明ユニットに関する。
【背景技術】
【０００２】
例えば、車両には、種々の場所（ドアカーテシー照明、足元照明、マップ照明、充電口照明等）に照明ユニットが設置される。そして、照明ユニットの取付構造にも種々の構造がある。例えば、発光面となるカバーが外部より目立たない位置に配置される照明ユニットでは、照明取付部材である車体パネルに取付穴を開口し、この取付穴に取付ける構造のものがある（特許文献１、２参照）。
【０００３】
特許文献１に開示された照明ユニットは、光源等を部品収容室に収容したハウジングと、部品収容室の開口を塞ぐようにしてハウジングに装着されたカバーとを有する。このカバーには、照明取付部材の取付穴に取付けできるカバー側取付部が設けられている。カバー側取付部は、弾性係止爪を有し、取付穴を中心としてカバー側取付部を回転させることで弾性係止爪が取付穴に係止される。
【０００４】
カバーの取付け作業時には、弾性係止爪を弾性変形させる必要がある等の理由によって、カバーには照明取付部材からの回転反力が作用するが、カバーがハウジングの外周の全体を包むように被っているため、ハウジングが変形せずに、カバーが脱落することがない。
【先行技術文献】
【特許文献】
【０００５】
【特許文献１】特開２００１−２４３８２９号公報
【特許文献１】特開２０１４−１５７６８９号公報
【発明の概要】
【発明が解決しようとする課題】
【０００６】
ところで、照明ユニットのコンパクト化のために、カバーがハウジングの外側を被う構造ではなく、カバーに係止アームを設け、係止アームがハウジングのロック爪にロックするような形態として照明ユニットのコンパクト化を図りたいという要請がある。
【０００７】
しかし、このような形態にすると、照明ユニットを照明取付部材の取付穴に取り付ける際の回転反力によって係止アーム等が変形し易く、カバーがハウジングより外れる恐れがある。
【０００８】
そこで、本発明は、前記した課題を解決すべくなされたものであり、照明取付部材の取付穴に回転によって取付けする際に、カバーがハウジングから外れるのを極力防止できる照明ユニットを提供することを目的とする。
【課題を解決するための手段】
【０００９】
本発明は、底壁と前記底壁より立設する一対の側壁に囲まれた部品収容室を有し、前記部品収容室に光源を収容するハウジングと、前記ハウジングの上方から組み付けされ、前記ハウジングにロック手段によって装着されて前記部品収容室の開口を塞ぎ、照明取付部材の取付穴に回転で取付けできるカバー側取付部を有するカバーとを備え、前記ハウジングの前記側壁の外面には、ハウジング側変形規制壁が突設され、前記カバーには前記ハウジング側変形規制壁を挟み込み、前記ハウジング側変形規制壁の両方の側面に当接するカバー側変形規制壁が設けられたことを特徴とする照明ユニットである。
【発明の効果】
【００１０】
本発明によれば、ハウジングを回転し、照明取付部材の取付穴に回転取付けする時には、ハウジングがカバーより回転反力を受けるが、カバー側変形規制壁からの回転反力をハウジング側変形規制壁の側面で受けるため、カバーがハウジングから外れるのを極力防止できる。
【図面の簡単な説明】
【００１１】
【図１】本発明の一実施形態を示し、照明ユニットの分解斜視図である。
【図２】本発明の一実施形態を示し、照明ユニットの斜視図である。
【図３】本発明の一実施形態を示し、照明ユニットの側面図である。
【図４】本発明の一実施形態を示し、図２のＡ−Ａ線断面図である。
【図５】本発明の一実施形態を示し、図２のＢ−Ｂ線断面図である。
【図６】本発明の一実施形態を示し、ハウジングの斜視図である。
【図７】本発明の一実施形態を示し、（ａ）はバスバーの斜視図、（ｂ）はバスバーの側面図である。
【図８】本発明の一実施形態を示し、（ａ）は上方から見たレンズの斜視図、（ｂ）は下方から見たレンズの斜視図である。
【図９】本発明の一実施形態を示し、（ａ）はレンズカバーの斜視図、（ｂ）はレンズカバーの正面図、（ｃ）はレンズカバーの底面図である。
【図１０】本発明の一実施形態を示し、照明ユニットの組み立て過程を示す斜視図である。
【図１１】本発明の一実施形態を示し、照明ユニットの組み立て過程を示す斜視図である。
【図１２】本発明の一実施形態を示し、照明取付部材の取付穴周辺の正面図である。
【図１３】本発明の一実施形態を示し、照明ユニットの照明取付部材への取付過程を示す斜視図である。
【図１４】本発明の一実施形態を示し、照明ユニットの照明取付部材への取付過程を示す斜視図である。
【図１５】本発明の一実施形態を示し、照明ユニットの照明取付部材に取付完了状態を示す斜視図である。
【図１６】本発明の一実施形態を示し、（ａ）はカバーの円筒部及びカバー側取付部を取付穴に挿入した状態を示す裏面図、（ｂ）は（ａ）のＤ１−Ｄ１線断面図である。
【図１７】本発明の一実施形態を示し、（ａ）は照明ユニットを９０度回転し、カバー側取付部が取付穴に取付けられた状態を示す裏面図、（ｂ）は（ａ）のＤ２−Ｄ２線断面図である。
【発明を実施するための形態】
【００１２】
以下、本発明の一実施形態を図面に基づいて説明する。
【００１３】
図１〜図１７は本発明の一実施形態を示す。照明ユニットＡは、ハウジング１と、ハウジング１内に収容される４本のバスバー２０、回路基板３０及びレンズ３５と、ハウジング１の開口を閉塞するレンズカバー（カバー）４０とを備えている。
【００１４】
ハウジング１は、光を透過させない部材より形成されている。ハウジング１は、概略外形が直方体である。ハウジング１は、部品収容室２とコネクタ嵌合室３を有する。部品収容室２とコネクタ嵌合室３の間には、仕切壁４が設けられている。部品収容室２は、底壁５と一対の側壁６と仕切壁４に囲まれており、上面と後面が開口されている。この開口箇所がレンズカバー４０で閉塞される。
【００１５】
部品収容室２を形成する底壁５の内面側には、４条のバスバーガイド溝７が形成されている。部品収容室２を形成する一対の側壁６の内面側には、一対の基板ガイド溝８が形成されている。仕切壁４には、４つの端子貫通孔９が形成されている。各端子貫通孔９よりバスバー２０のタブ端子部２５がコネクタ嵌合室３に突出している。
【００１６】
一対の側壁６の外面側には、ハウジング側変形規制壁１０がそれぞれ突設されている。各ハウジング側変形規制壁１０は、各側壁６の上面よりもレンズカバー４０の厚み分だけ高く設けられている。ハウジング側変形規制壁１０の両方の側面が突き当て面１０ａに形成されている。ハウジング側変形規制壁１０の外面には、一対の車体用ロック爪１３が設けられている。この一対の車体用ロック爪１３を用いても照明ユニットＡを車両に固定することができる。
【００１７】
一対のハウジング側変形規制壁１０が外側に突設された各側壁６の上部には、レンズ用凹部１１がそれぞれ設けられている。
【００１８】
一対の側壁６の外面には、ハウジング側変形規制壁１０の左右の外側位置にロック用突部１２がそれぞれ設けられている。
【００１９】
各バスバー２０は、フラットな所定形状の導電性金属板より形成されている。各バスバー２０は、ベースプレート部２１と、ベースプレート部２１の一側端より突出した固定接点部２２、バネ接点部２３及び保護突起部２４と、ベースプレート部２１の他側端より突出したタブ端子部２５及び係止爪部２６とを有する。
【００２０】
固定接点部２２とバネ接点部２３は、部品収容室２内に配置され、互いに間隔を置いて配置されている。固定接点部２２とバネ接点部２３は、バネ接点部２３の弾性復帰力で回路基板３０を挟持することによって回路基板３０と電気的に接続する。
【００２１】
ベースプレート部２１の一側端で、且つ、固定接点部２２とバネ接点部２３の間の端面は、基板前面突き当て面２１ａに形成されている。固定接点部２２のバネ接点部２３側の端面は、基板下面突き当て面２１ｂに形成されている。
【００２２】
タブ端子部２５は、コネクタ嵌合室３に配置され、嵌合された相手コネクタの相手端子（図示せず）と電気的に接続する。
【００２３】
ベースプレート部２１の他側端で、且つ、タブ端子部２５の周囲の端面は、ハウジング突き当て面２１ｂに形成されている。
【００２４】
係止爪部２６は、バスバー２０の挿入完了位置でハウジング１に係止される。
【００２５】
回路基板３０は、扁平直方体である。回路基板３０は、光源である発光ダイオード３１と共に他の電子部品３２が搭載されている。回路基板３０には、回路パターンが設けられている。搭載された電子部品３２及び回路パターンによって発光ダイオード３１の駆動回路が構成されている。発光ダイオード３１は、三色発光のマルチ発光ＬＥＤである。回路パターンには、４つの接点部３３が設けられている。各接点部３３が各バスバー２０の固定接点部２２とバネ接点部２３に電気的に接続される。
【００２６】
レンズ３５は、光を透過させる材料で形成されている。レンズ３５は、概略直方体状のレンズ支持部３６と、レンズ支持部３６の上面に設けられたレンズ体３７とを有する。レンズ支持部３６の底面には、左右一対の底台３８が突設されていいる。各底台３８には、リブ３８ａがそれぞれ設けられている。レンズ３５は、レンズ支持部３６の左右端部が一対の側壁６のレンズ用凹部１１に入り込むことによって位置決めされた状態で部品収容室２に収容されている。レンズ３５は、発光ダイオード３１の真上位置に配置されている。
【００２７】
レンズカバー４０は、光を透過させない材料で形成されている。レンズカバー４０は、上面部４１と、上面部４１の後端より垂下された後面部４２と、上面部４１の左右の側端より垂下された一対のカバー側変形規制壁４３とを備えている。一対の各カバー側変形規制壁４３は、間隔を置いて２箇所に設けられている。一対のカバー側変形規制壁４３の互いに対向する側面が突き当て面４３ａに形成されている。
【００２８】
レンズカバー４０は、各カバー側変形規制壁４３の間に各ハウジング側変形規制壁１０が入り込むようにしてハウジング１の上方から組み付けされる。レンズカバー４０は、ハウジング１に組付けされた状態では、ハウジング１の部品収容室２の上面開口と後面開口を閉塞する。レンズカバー４０は、ハウジング１に組み付け状態では、２箇所のカバー側変形規制壁４３がハウジング側変形規制壁１０の外側に配置され、ハウジング側変形規制壁１０を挟み込みように配置される。カバー側変形規制壁４３の突き当て面４３ａとハウジング側変形規制壁１０の突き当て面１０ａ同士が当接される。
【００２９】
各カバー側変形規制壁４３の内面には、ロック爪４４がそれぞれ設けられている。レンズカバー４０は、ハウジング１に組み付け状態では、ロック爪４４がハウジング１のロック用突部１２に係止される。つまり、ロック用突部１２とロック爪４４は、ハウジング１とレンズカバー４０のロック手段を構成している。
【００３０】
上面部４１には、カバー側取付部４５が突設されている。カバー側取付部４５は、円筒部４５ａと、円筒部４５ａの１８０度対向位置に配置された弾性係止部４６を有する。弾性係止部４６は、図９に詳しく示すように、円筒部４５ａの外周より突出する一対の回転ストッパ壁５５ａと、この各回転ストッパ壁５５ａを支持部として円筒部５３の外周面に沿ってそれぞれ延びる弾性円弧アーム部５５ｂと、各弾性円弧アーム部５５ｂの先端に設けられた係止爪５５ｃと、上面部４１に設けられ、回転ストッパ壁５５ａと係止爪５５ｃの間の位置で、各弾性円弧アーム部５５ｂの下方位置に位置する突出する突部５５ｄとを有する。
【００３１】
なお、回転ストッパ壁５５ａ、弾性円弧アーム部５５ｂ、係止爪５５ｃ及び突部５５ｄの符号は、図９以降の図面に付し、図８以前の図面では符号を省略してある。
【００３２】
円筒部４５ａを照明取付部材１００（図１２に示す）の取付穴１０１（図１２に示す）に挿入し回転することにより弾性係止部４６が照明取付部材１００に係止される。これによって、照明ユニットＡを照明取付部材１００に固定できる。円筒部４５ａの内部より発光ダイオード３１の光が外部に出射される。取付過程については、下記に詳述する。
【００３３】
後面部４２は、一対のカバー側変形規制壁４３の後端側に連続して設けられている。後面部４２の内面には、一対のリブ４２ａが上下方向に延設されている。レンズカバー４０は、ハウジング１への組付け完了位置では、一対のリブ４２ａが回路基板３０の挿入後端面に当接する。
【００３４】
次に照明ユニットＡの組付け手順を説明する。バスバー２０をチャック治具（図示せず）で把持し、４本のバスバー２０をそのタブ端子部２５を先端としてハウジング１の部品収容室２にそれぞれ挿入する。各バスバー２０の挿入は、バスバーガイド溝７をガイドとして行い、各バスバー２０のハウジング突き当て面２１ｂが仕切壁４に当接する位置が挿入完了位置である。バスバー２０は、固定接点部２２及びバネ接点部２３が部品収容室２に、タブ端子部２５が仕切壁４の端子貫通孔９よりコネクタ嵌合室３にそれぞれ配置される。
【００３５】
次に、回路基板３０をハウジング１の部品収容室２に挿入する。回路基板３０の挿入は、一対の基板ガイド溝８をガイドとして行い、回路基板３０の挿入前端面がバスバー２０の基板前面突き当て面２１ａに突き当たる位置が挿入完了位置である。又、回路基板３０の挿入前端側の下面がバネ接点部２３の変形復帰力によってバスバー２０の基板下面突き当て面２２ａに当接する。回路基板３０の基板完了位置では、各バスバー２０と回路基板３０の各接点部３３が電気的に接続される。
【００３６】
次に、図１０に示すように、レンズ３５をハウジング１の上方開口側より部品収容室２に挿入する。レンズ３５のレンズ支持部３６の左右端部を一対の側壁６のレンズ用凹部１１に落とし込む。これにより、レンズ３５は、水平方向が位置決めされた状態で部品収容室２に配置される。レンズ３５は、発光ダイオード３１の上方位置に配置される。
【００３７】
次に、図１１に示すように、レンズカバー４０をハウジング１の上方開口側より組付ける。組み付け過程では、先ず、ロック爪４４がハウジング１のロック用突部１２に突き当たる。この位置よりレンズカバー４０をハウジング１側に押し込むと、カバー側変形規制壁４３が撓み変形によってロック爪４４がロック用突部１２の上面を摺動する。レンズカバー４０が組み付け完了位置に達すると、ロック爪４４がロック用突部１２を完全に乗り越える位置に達し、ロック爪４４がカバー側変形規制壁４３の撓み復帰方向によってロック用突部１２に係止される。これにより、レンズカバー４０は、レンズ３５の上方への移動を規制し、レンズ３５のリブ３８ａが回路基板３０の上方への移動を規制する。つまり、レンズカバー４０によって、部品収容室２内でレンズ３５及び回路基板３０が上下方向に位置決めされる。これで、組付けが完了する。
【００３８】
次に、カバー５０を装着した照明ユニットＡを照明取付部材１００の取付穴１０１に取付ける手順を説明する。図１２に示すように、照明取付部材（例えば車体パネルのトリム）１００の取付穴１０１は、小径部１０１ａと大径部１０１ｂが組み合わされ、小径部１０１ａの外縁側が挟持部１０１ｃとされた変則円形の穴である。
【００３９】
先ず、図１３に示すように、カバー側取付部４５を大径部１０１ｂの位置に合わせする。そして、図１４及び図１６に示すように、取付穴１０１にカバー側取付部４５を挿入し、カバー側取付部４５が照明取付部材１００の反対面側に突き出る位置まで挿入する。
【００４０】
次に、カバー側取付部４５を回転する。すると、弾性円弧アーム部５５ｂが弾性変形し、係止爪５５ｃが挟持部１０１ｃに載り、レンズカバー４０の回転が許容される。係止爪５５ｃが挟持部１０１ｃを乗り越える位置まで回転する。すると、図１５及び図１７に示すように、弾性円弧アーム部５５ｂが弾性復帰変形し、突部５５ｄと弾性円弧アーム部５５ｂが挟持部１０１ｃの両面間を挟み込み、且つ、カバー側取付部４５の回転ストッパ壁５５ａと係止爪５５ｃが挟持部１０１ｃの両端面間を挟み込む。これで、照明ユニットＡが照明取付部材１００の取付穴１０１に取り付けされ、照明ユニットＡの設置が完了する。
【００４１】
以上説明したように、照明ユニットＡは、底壁５と底壁５より立設する一対の側壁６に囲まれた部品収容室２を有し、部品収容室２に発光ダイオード３１を収容するハウジング１と、ハウジング１の上方から組み付けされ、ハウジング１にロック手段１２，４４によって装着されて部品収容室２の開口を塞ぎ、照明取付部材１００の取付穴１０１に回転で取付けできるカバー側取付部４５を有するレンズカバー４０とを備え、ハウジング１の側壁６の外面には、ハウジング側変形規制壁１０が突設され、レンズカバー４０にはハウジング側変形規制壁１０を挟み込み、ハウジング側変形規制壁１０の両方の側面に当接するカバー側変形規制壁４３が設けられている。
【００４２】
カバー側取付部４５を照明取付部材１００の取付穴１０１０への取付け時には、作業者がハウジング１を把持し、ハウジング１を回転する。ハウジング１を回転し、照明取付部材１００の取付穴１０１に回転取付けする時には、ハウジング１の回転力Ｆ（図２、図３に示す）がレンズカバー４０のカバー側変形規制壁４３に作用し、カバー側変形規制壁４３からの回転反力Ｒ（図２、図３に示す）をハウジング側変形規制壁１０の突き当て面１０ａで受けるため、回転力Ｆ及び回転反力Ｒがカバー側変形規制壁４３やハウジング側変形規制壁１０を撓ませる方向（容易に変形させる方向）ではなく、レンズカバー４０がハウジング１から外れるのを極力防止できる。
【００４３】
ロック手段１２，４４は、ハウジング１の一対の側壁６の外面側に設けられたロック用突部１２と、レンズカバー４０のカバー側変形規制壁４３の内面に設けられたロック爪４４とを有する。従って、カバー側変形規制壁４３にレンズカバー４０のハウジング１からの脱落防止機能と、ハウジング１とのロック機能を集約させることができる。
【００４４】
部品収容室２には、発光ダイオード３１の上方に配置されるレンズ３５が収容され、レンズ３５のレンズ支持部３６は、ハウジング１の一対のハウジング側変形規制壁１０の間の位置で側壁６に支持され、一対のハウジング側変形規制壁１０は、レンズ支持部３６よりも高く設定されている。従って、レンズ３５内を進んでレンズ支持部３６の側面より出射する光が照明ユニットＡの外部に出るのをハウジング側変形規制壁１０が遮蔽するため、光漏れを防止できる。また、ハウジング側変形規制壁１０の高さが高く設定されているので、ハウジング側変形規制壁１０とカバー側変形規制壁４３の互いの突き当て面がその分大きくなるため、レンズカバー４０がハウジング１から外れるのをより確実に防止できる。
【００４５】
回路基板３０が挿入途中位置までしか挿入されていない場合には、レンズカバー４０の後面部４２が回路基板３０に干渉するため、回路基板３０の中途挿入を防止できる。
【符号の説明】
【００４６】
Ａ  照明ユニット
１  ハウジング
２  部品収容室
５  底壁
６  側壁
１０  ハウジング側変形規制壁
１２  ロック用突部（ロック手段）
２０  バスバー
３０  回路基板
３１  発光ダイオード（光源）
３５  レンズ
３６  レンズ支持部
４０  レンズカバー（カバー）
４３  カバー側変形規制壁
４４  ロック爪（ロック手段）
４５  カバー側取付部
１００  照明取付部材
１０１  取付穴
【図１】
2020004502.tif 000003
【図２】
2020004502.tif 000004
【図３】
2020004502.tif 000005
【図４】
2020004502.tif 000006
【図５】
2020004502.tif 000007
【図６】
2020004502.tif 000008
【図７】
2020004502.tif 000009
【図８】
2020004502.tif 000010
【図９】
2020004502.tif 000011
【図１０】
2020004502.tif 000012
【図１１】
2020004502.tif 000013
【図１２】
2020004502.tif 000014
【図１３】
2020004502.tif 000015
【図１４】
2020004502.tif 000016
【図１５】
2020004502.tif 000017
【図１６】
2020004502.tif 000018
【図１７】
2020004502.tif 000019